(57)【特許請求の範囲】
【請求項１】
所定位置に設けられて駆動される給紙シャフトを有する給紙ローラと、前記給紙ローラの近傍に揺動可能に設けられたさばき部材と、前記さばき部材の近傍に移動可能に設けられた押圧体と、前記押圧体を前記さばき部材に向けて付勢することにより前記さばき部材を揺動させて前記給紙ローラに接触させる付勢手段と、前記付勢手段による付勢力を調整する調整手段とを備えた給紙装置において、
前記さばき部材は、前記給紙シャフトと平行な支点を中心として回動可能であるレバーに対し、前記給紙シャフトと直交するピンを中心として回転可能に取り付けられており、
前記調整手段は、回動操作部と、前記押圧体と前記付勢手段の近傍に設けられて前記回動操作部の回動に連動することにより前記付勢手段の付勢力を調整する回動調整部とを有していることを特徴とする給紙装置。
【請求項２】
所定位置に設けられて回転駆動される給紙シャフトを有する給紙ローラと、前記給紙シャフトと平行な支点を中心として回動可能であるレバーに対して前記給紙シャフトと直交するピンを中心として回転可能に取り付けられて前記給紙ローラの近傍に設けられたさばき部材と、前記さばき部材の近傍に移動可能に設けられて前記さばき部材を前記給紙ローラに向けて押圧する押圧体と、前記押圧体の近傍に揺動可能に設けられた揺動操作部と、前記押圧体と前記揺動操作部の間に設けられて前記押圧体を前記さばき部材に向けて付勢する付勢手段と、前記揺動操作部に当接して回動することにより前記揺動操作部を揺動させて前記付勢手段が前記押圧体を介して前記さばき部材に与える付勢力を調整する回動調整部と、前記回動調整部を回動操作する回動操作部とを有していることを特徴とする給紙装置。
【請求項３】
所定位置に設けられて回転駆動される給紙シャフトを有する給紙ローラと、前記給紙シャフトと平行な支点を中心として回動可能であるレバーに対して前記給紙シャフトと直交するピンを中心として回転可能に取り付けられて前記給紙ローラの近傍に設けられたさばき部材と、前記さばき部材の近傍に移動可能に設けられて前記さばき部材を前記給紙ローラに向けて押圧する押圧体と、前記押圧体の近傍に回動可能に設けられたカムと、前記押圧体と前記カムの間に設けられて前記押圧体を前記さばき部材に向けて付勢する付勢手段と、前記カムを回動させることにより前記付勢手段が前記押圧体を介して前記さばき部材に与える付勢力を調整するための回動操作部とを有していることを特徴とする給紙装置。
【請求項４】
前記給紙ローラと前記さばき部材を収納する筐体を有し、前記回動操作部が前記筐体の外から操作可能とされた請求項２又は３記載の給紙装置。
【請求項５】
前記回動操作部に、前記回動操作部を回動方向の任意の位置で固定するための回転固定手段を設けた請求項２又は３記載の給紙手段。
【発明の詳細な説明】
【０００１】
【発明の属する技術分野】
本発明は、給紙ローラとさばき板との摩擦により、積載された用紙から一枚だけを取り出すように構成された所謂摩擦分離方式の給紙装置に関する。
【０００２】
【従来の技術】
給紙装置は、積載された用紙から取り出した用紙を一枚ずつ分離して送りだす装置である。このような給紙装置は、例えば印刷装置等に設けられている。
図８〜図１０は、このような従来の給紙装置の一例を示している。
この給紙装置は、所定位置に設けられて回転駆動される給紙部材としての給紙ローラ１と、給紙ローラ１の下方に設けられたさばき部材としてのさばき台２とを有している。
【０００３】
給紙ローラ１は、芯３と、芯３の外周面に一体に設けられたローラ部材４とを有している。芯３は給紙シャフト５に結合されている。給紙シャフト５は図示しない駆動シャフトに連結されている。
【０００４】
さばき台２は、高摩擦部材６と、入り口側に設けられた湾曲した板金７（ステンレス製）を有している。給紙ローラ１とさばき台２の高摩擦部材６は接している。搬送された印刷用紙は、両者の間で捌かれて１枚だけが先に送られる。
【０００５】
支持板８は所定位置に固定されている。この支持板８には、支点ねじ９を中心としてレバー１０が回動可能に取り付けられている。レバー１０には、ピン１１を中心としてさばき台２が回転可能に取り付けられている。このさばき台２はピン１１から外すことができる。支持板８には取り付け板１２が一体に設けられている。支持板８の底部と、取り付け板１２にはそれぞれ貫通孔８ａ，１２ａが形成されている。これらの貫通孔８ａ，１２ａには、押圧体としての押圧棒１３が挿入されている。押圧棒１３は、軸方向に沿って上下動可能である。支持板８の底部と、取り付け板１２との間において、この押圧棒１３の上部にはフランジ１４が固定されている。支持板８の底部の上面には調整手段としての調整板１５がスライド可能に設けられている。調整板１５はスライド方向に細長い板である。調整板１５には、長手方向に沿ってスリット１６が形成されており、ここに押圧棒１３が貫通している。調整板１５の上面には、スリット１６の両側に操作面１７が形成されている。操作面１７の高さ（調整板１５の厚さ）は、調整板１５の長手方向に沿って徐々に変化している。調整板１５の一端部は、操作つまみ１８であり、図示しない本装置の筐体の内側にある。そして、付勢手段としてのばね１９が、フランジ１４と調整板１５の間で押圧棒１３に設けられている。
【０００６】
上記の構成によれば、用紙は給紙ローラ１とさばき台２の間で擦られ、給紙ローラ１によって先に搬送される。２枚以上の用紙が重なってさばき台２に到達した場合には、これらの用紙は給紙ローラ１とさばき台２によって分離され、１枚のみが先に送られる。ここで、給紙ローラ１と用紙の間の摩擦力ＦＡ  と、用紙と用紙の間の摩擦力ＦＢ  と、用紙とさばき台２の間の摩擦力ＦＣ  の間の大きさの順序は、次式のようになっていることが望ましい。即ち、ＦＡ  ＞ＦＣ  ＞ＦＢ  である。
【０００７】
上記各摩擦力の差が不十分である場合、用紙が送られない場合がある。これを空送と呼ぶ。用紙が分離されずに２枚以上送られることがある。これを重送と呼ぶ。
【０００８】
上記各摩擦力の差を適当に設定するために、前述した調整手段が使用される。用紙は絡み合った繊維からなるため、表面がざらざらしている。これに柔らかい材質の給紙ローラ１を押しつけ、ニップ幅を大きくすれば、給紙ローラ１と用紙の間の摩擦力は大きくなって安定化する。ニップ幅が小さいと、給紙ローラ１の表面の磨耗や、用紙の紙粉によって前記摩擦力が低下しやすい。使用される用紙の種類は多様で、用紙間に働く摩擦力も多様である。このように多様な種類の用紙を安定的に供給するには、前述したさばき圧の調整手段が欠かせない。さばき圧は、ユーザーが使用する紙の種類に合うように調整手段を用いて調整する。
【０００９】
上記の構成において、押圧棒１３はばね１９の弾性力により支持板８に対して上方に付勢される。押圧棒１３の上端はレバー１０を押し上げる。レバー１０に取り付けられているさばき台２は上方に付勢され、給紙ローラ１に接触する。
【００１０】
さばき台２が給紙ローラ１に接触するさばき圧を調整するには、調整板１５を操作する。ユーザーは、本装置の筐体の一部を取り外し、操作つまみ１８を露出させる。操作つまみ１８を掴んで調整板１５を長手方向に沿ってスライドさせる。調整板１５をスライドさせることにより、ばね１９の下端が載っている調整板１５の操作面１７の高さを調整する。図８及び図１０は、低い操作面１７の上にばね１９が載っている状態であり、さばき圧が小さい場合である。図９は、高い操作面１７の上にばね１９が載っている状態であり、さばき圧が大きい場合である。
【００１１】
調整を行った後、筐体の一部を元に戻し、給紙装置を作動させて実際に用紙を送り、さばき圧変更の効果を確認する。効果が無かった場合には、再び装置の筐体の一部を取り外して調整を行う。
【００１２】
【発明が解決しようとする課題】
前述した従来の給紙装置では、調整板１５をスライドさせることにより、ばね１９の弾性力を変える構造であった。このため、調整板１５はスライド方向に長い形状となる。そして、調整板１５がスライドする空間には干渉を防ぐために他の部品を配置することができない。このように、従来の給紙装置では、装置内の空間が有効に利用されていないという問題があった。
【００１３】
従来の給紙装置では、装置内の空間をすこしでも有効に利用するために、スライド式の調整板１５の長さを最小限度まで小さくしていた。このため、調整板１５の操作つまみ１８は装置の内部に配置せざるをえない。即ち、操作つまみ１８を装置の外に突出させることができない。よって、さばき圧調整の場合、装置の筐体の一部をその都度開放しなければならなかった。
【００１４】
従来の給紙装置では、長い調整板１５を長手方向にスライドさせる構造であるため、調整板１５のスライドを案内するための溝８ｂを支持板８に形成しなければならない。この溝８ｂによって支持板８の強度が低下するという問題もあった。
【００１５】
本発明は、以上説明した問題点を解決するためになされた。本発明の目的は、コンパクトで小さな空間に配置することができ、装置の外側から容易に操作できるさばき圧調整機構を備えた給紙装置を提供することにある。
【００１６】
【課題を解決するための手段】
請求項１に記載された給紙装置は、所定位置に設けられて駆動される給紙シャフト（５）を有する給紙ローラ（１）と、前記給紙ローラの近傍に揺動可能に設けられたさばき部材（さばき台２）と、前記さばき部材の近傍に移動可能に設けられた押圧体（押圧棒１３）と、前記押圧体を前記さばき部材に向けて付勢することにより前記さばき部材を揺動させて前記給紙ローラに接触させる付勢手段（ばね１９）と、前記付勢手段による付勢力を調整する調整手段とを備えた給紙装置において、前記さばき部材は、前記給紙シャフトと平行な支点（支点ねじ９）を中心として回動可能であるレバー（１０）に対し、前記給紙シャフトと直交するピン（１１）を中心として回転可能に取り付けられており、前記調整手段は、回動操作部（４０）と、前記押圧体と前記付勢手段の近傍に設けられて前記回動操作部の回動に連動することにより前記付勢手段の付勢力を調整する回動調整部（３０）とを有していることを特徴としている。
【００１７】
請求項２に記載された給紙装置は、所定位置に設けられて回転駆動される給紙シャフト（５）を有する給紙ローラ（１）と、前記給紙シャフトと平行な支点（支点ねじ９）を中心として回動可能であるレバー（１０）に対して前記給紙シャフトと直交するピン（１１）を中心として回転可能に取り付けられて前記給紙ローラの近傍に設けられたさばき部材（さばき台２）と、前記さばき部材の近傍に移動可能に設けられて前記さばき部材を前記給紙ローラに向けて押圧する押圧体（押圧棒１３）と、前記押圧体の近傍に揺動可能に設けられた揺動操作部（揺動操作板２０）と、前記押圧体と前記揺動操作部の間に設けられて前記押圧体を前記さばき部材に向けて付勢する付勢手段（ばね１９）と、前記揺動操作部に当接して回動することにより前記揺動操作部を揺動させて前記付勢手段が前記押圧体を介して前記さばき部材に与える付勢力を調整する回動調整部（調整シャフト３１、軸受け３２、ピン３３）と、前記回動調整部を回動操作する回動操作部（調整つまみ４１）とを有していることを特徴としている。
【００１８】
請求項３に記載された給紙装置は、所定位置に設けられて回転駆動される給紙シャフト（５）を有する給紙ローラ（１）と、前記給紙シャフトと平行な支点（支点ねじ９）を中心として回動可能であるレバー（１０）に対して前記給紙シャフトと直交するピン（１１）を中心として回転可能に取り付けられて前記給紙ローラの近傍に設けられたさばき部材（さばき台２）と、前記さばき部材の近傍に移動可能に設けられて前記さばき部材を前記給紙ローラに向けて押圧する押圧体（押圧棒１３）と、前記押圧体の近傍に回動可能に設けられたカム（５０）と、前記押圧体と前記カムの間に設けられて前記押圧体を前記さばき部材に向けて付勢する付勢手段（ばね１９）と、前記カムを回動させることにより前記付勢手段が前記押圧体を介して前記さばき部材に与える付勢力を調整するための回動操作部（調整つまみ６０）とを有していることを特徴としている。
【００１９】
請求項４に記載された給紙装置は、請求項２又は３記載の給紙装置において、前記給紙ローラ（１）と前記さばき部材（さばき台２）を収納する筐体（１００）を有し、前記回動操作部（調整つまみ４１、６０）が前記筐体の外から操作可能とされたことを特徴としている。
【００２０】
請求項５に記載された給紙装置は、請求項２又は３記載の給紙手段において、前記回動操作部（調整つまみ４１、６０）に、前記回動操作部を回動方向の任意の位置で固定するための回転固定手段（軸受け３２）を設けたことを特徴としている。
【００２１】
【発明の実施の形態】
図１〜図３は、本発明の給紙装置の第１の例を示している。
この給紙装置は、所定位置に設けられて回転駆動される給紙部材としての給紙ローラ１と、給紙ローラ１の下方に設けられたさばき部材としてのさばき台２とを有している。さばき台２は、高摩擦部材６と、入り口側に設けられた湾曲した板金７（ステンレス製）を有している。給紙ローラ１とさばき台２の高摩擦部材６は接している。搬送された印刷用紙は、両者の間で捌かれて１枚だけが先に送られる。
【００２２】
給紙ローラ１は、芯３と、芯３の外周面に一体に設けられたローラ部材４とを有している。芯３は給紙シャフト５に結合されている。給紙シャフト５は図示しない駆動シャフトに連結されている。
【００２３】
支持板８は所定位置に固定されている。この支持板８には、支点ねじ９を中心としてレバー１０が回動可能に取り付けられている。レバー１０には、ピン１１を中心としてさばき台２が回転可能に取り付けられている。このさばき台２はピン１１から外すことができる。支持板８には取り付け板１２が一体に設けられている。支持板８には、支点ねじ９を中心として揺動操作部としての揺動操作板２０が取り付けられている。揺動操作板２０の先端部は、支持板８とさばき台２の各先端部よりも突出している。揺動操作板２０とさばき台２は、支持板８に対して互いに独立して回動可能である。
【００２４】
支持板８の底部と、揺動操作板２０の先端部と、取り付け板１２には、それぞれ貫通孔８ａ，２０ａ，１２ａが形成されている。これらの貫通孔には、押圧体としての押圧棒１３が挿入されている。押圧棒１３は、軸方向に沿って上下動可能である。揺動操作板２０と取り付け板１２の間において、この押圧棒１３の上部にはフランジ１４が固定されている。そして、付勢手段としてのばね１９が、フランジ１４と揺動操作板２０の間で押圧棒１３に設けられている。ばね１９は、押圧棒１３をさばき台２に向けて付勢する。
【００２５】
給紙装置は、ばね１９による付勢力を調整する調整手段を有している。調整手段は、揺動操作板２０を揺動させる回動調整部３０と、回動調整部３０を操作するための回動操作部４０を有している。回動調整部３０は、調整シャフト３１を有している。調整シャフト３１は、筐体１００の内部の所定位置に設けられた軸受け３２に支持されている。軸受け３２は、調整シャフト３０の回転に適当な抵抗を与え、これによって調整シャフト３０は回転方向の任意の位置で一時的に固定される。調整シャフト３０の一端の周面にはピン３３が設けられている。このピン３３は揺動操作板２０に当接している。従って調整シャフト３１が回動すれば、ピン３３が揺動操作板２０を揺動させる。調整シャフト３１の一端部は、装置の筐体１００の外に突出している。その突出した一端部に回動操作部としての調整つまみ４１が取り付けられている。
【００２６】
上記の構成によれば、押圧棒１３はばね１９の弾性力により支持板８に対して上方に付勢される。押圧棒１３の上端はレバー１０を押し上げる。レバー１０に取り付けられているさばき台２は上方に付勢され、給紙ローラ１に接触する。
【００２７】
さばき台２が給紙ローラ１に接触するさばき圧を調整するには、装置の外側にある調整つまみ４１を回転させる。調整シャフト３１が回り、ピン３３が回動して揺動操作板２０を揺動させる。このようにして、ばね１９の下端が載っている揺動操作板２０の高さが調整される。図１及び図３は、揺動操作板２０が下がっている状態であり、さばき圧が小さい場合である。図２は、揺動操作板２０が上がっている状態であり、さばき圧が大きい場合である。
【００２８】
調整を行った後、直ちに給紙装置を作動させて実際に用紙を送り、さばき圧変更の効果を確認する。効果が無かった場合には、直ちに装置の外側から調整つまみを回せばよい。いちいち筐体の一部を外して装置の内部に触れる必要はない。
【００２９】
本例によれば、給紙ローラ１とさばき台２の間のさばき圧を決める押圧棒１３の付勢力を、回動する調整シャフト３１に設けたピン３３で揺動操作板２０を揺動させて調整している。このため、長い板カムをスライドさせる従来の調整機構に比べて装置内に占めるスペースが小さくて済む。また、その操作は装置の筐体１００の外から調整つまみ４１によって行えるので便利である。
【００３０】
図４〜図７は、本発明の給紙装置の第２の例を示している。
この給紙装置は、第１の例の給紙装置とは調整手段の構造が異なる。第１の例と実質的に同一の部分には、図１〜図３で使用した符号を付して説明を省略する。
【００３１】
本例の調整手段は、ばね１９の付勢力を調整する回動調整部として円盤形のカム５０を有している。支持板８の上面には上向きに支持軸５１が設けられている。この支持軸５１はカム５０の中心に形成された支持孔に挿通しており、カム５０は支持板８に対して回動可能となっている。カム５０には、周方向に沿って連続した貫通溝５２が形成されている。カム５０の上面には、貫通溝５２に沿って押圧棒１３を付勢するための操作面５３が形成されている。操作面５３の高さ（カム５０の厚さ）は周方向に沿って段階的に変化している。
【００３２】
前述した押圧棒１３は貫通溝５２に挿通している。押圧棒１３は、軸方向に沿って上下動可能である。カム５０と取り付け板１２の間において、この押圧棒１３の上部にはフランジ１４が固定されている。そして、付勢手段としてのばね１９が、フランジ１４とカム５０の間で押圧棒１３に設けられている。ばね１９の下端とカム５０の間には受け部材としてのワッシャ５４が設けられている。ばね１９は、押圧棒１３を支持板８に関してさばき台２に向けて付勢する。カム５０が回転すると、カム５０の操作面５３が上下動し、ばね１９が押圧棒１３を上向きに付勢する力が変化する。
【００３３】
カム５０の外周面にはウォームホイール５５が形成されている。ウォームホイール５５にはウォーム５６がかみ合っている。ウォーム５６はウォーム軸５７の一端に固定されている。ウォーム軸５７は図示しない軸受けに回動可能に支持され、装置の筐体１００の外に突出している。筐体１００の外にあるウォーム軸５７の他端には回動操作部としての調整つまみ６０が固定されている。調整つまみ６０を回転させれば、カム５０が回転する。
【００３４】
上記の構成によれば、押圧棒１３はばね１９の弾性力により支持板８に対して上方に付勢される。押圧棒１３の上端はレバー１０を押し上げる。レバー１０に取り付けられているさばき台２は上方に付勢され、給紙ローラ１に接触する。
【００３５】
さばき台２が給紙ローラ１に接触するさばき圧を調整するには、装置の外側から調整つまみ６０を回す。ウォーム軸５７が回り、カム５０が回動してばね１９の押圧力が調整される。図４及び図７は、ばね１９を押すカム５０の操作面５３が下がってばね１９の押圧力が小さくなっている状態であり、さばき圧が小さい場合である。図６は、ばね１９を押すカム５０の操作面５３が上がってばね１９の押圧力が大きくなっている状態であり、さばき圧が大きい場合である。
【００３６】
調整を行った後、直ちに給紙装置を作動させて実際に用紙を送り、さばき圧変更の効果を確認する。効果が無かった場合には、直ちに装置の外側から調整つまみを回せばよい。いちいち筐体の一部を外して装置の内部に触れる必要はない。
【００３７】
本例によれば、給紙ローラ１とさばき台２の間のさばき圧を決める押圧棒１３の付勢力を、回動するカム５０で調整している。また、カム５０はウォーム５６とウォームホイール５５によって回転させている。このため、長い板カムをスライドさせる従来の調整機構に比べて装置内に占めるスペースが小さくて済む。また、その操作は装置の筐体１００の外から調整つまみによって行えるので便利である。
【００３８】
以上説明した本発明の給紙装置は、積載されたシート物をさばく機能が必要な種々の機械に設けることができる。例えば、印刷装置や、印刷された用紙を送って複数のビンに収納する丁合い機等に設けることができる。
【００３９】
【発明の効果】
本発明によれば、給紙部材とさばき部材で用紙をさばく給紙装置において、さばき部材を付勢する力を、回転調整部とこれに連動する回転操作部によって調整している。このため、スライド構造の従来の調整部材に比べて装置内の空間が有効に利用できる。また、その操作は装置の外側から行えるので、調整作業が容易である。さらに、スライド構造の調整部材を案内するための溝を構造部材に形成する必要がなく、装置の構造部材の強度が低下するという問題がない。
【００４０】
このように、本発明によれば、コンパクトで小さな空間に配置することができ、装置の外側から容易に操作できるさばき圧調整機構を備えた給紙装置を提供できる。
【図面の簡単な説明】
【図１】本発明の第１の例におけるさばき圧が小さい状態を示す一部を断面とした側面図である。
【図２】本発明の第１の例におけるさばき圧が大きい状態を示す一部を断面とした側面図である。
【図３】本発明の第１の例におけるさばき圧が小さい状態を示す一部を断面とした正面図である。
【図４】本発明の第２の例におけるさばき圧が小さい状態を示す一部を断面とした側面図である。
【図５】本発明の第２の例における調整手段の平面図である。
【図６】本発明の第２の例におけるさばき圧が大きい状態を示す一部を断面とした側面図である。
【図７】本発明の第２の例におけるさばき圧が小さい状態を示す一部を断面とした正面図である。
【図８】従来の給紙装置におけるさばき圧が小さい状態を示す一部を断面とした側面図である。
【図９】従来の給紙装置におけるさばき圧が大きい状態を示す一部を断面とした側面図である。
【図１０】従来の給紙装置におけるさばき圧が小さい状態を示す一部を断面とした正面図と、調整板の上面図である。
【図１】
0003618581.tif 000002
【図２】
0003618581.tif 000003
【図３】
0003618581.tif 000004
【図４】
0003618581.tif 000005
【図５】
0003618581.tif 000006
【図６】
0003618581.tif 000007
【図７】
0003618581.tif 000008
【図８】
0003618581.tif 000009
【図９】
0003618581.tif 000010
【図１０】
0003618581.tif 000011